(57)【特許請求の範囲】
【請求項１】
可撓性を有する索体を巻き取る巻取装置において、
回転することにより前記索体を巻き取る巻取部、及び前記巻取部の回転軸線方向両端側に設けられ、当該巻取部から径方向外側に突出した一対のフランジ部を有する巻取ドラムと、
前記巻取部の径方向外側を覆う円筒部を有するドラムカバーと、
前記回転軸線方向に変位可能な状態で前記円筒部に組み付けられた索体押さえであって、少なくとも前記回転軸線方向両端部が前記一対のフランジ部の外径端より前記巻取部側に位置する索体押さえとを備え、
前記円筒部には、前記索体が出入り可能な開口部が設けられており、
前記索体押さえは、前記巻取部の回転中心を挟んで前記開口部と反対側の位置に設けられていることを特徴とする巻取装置。
【請求項２】
前記索体押さえの前記回転軸線方向両端部には、前記巻取部側に突出し、かつ、当該巻取部の回転方向に沿って延びる突条が設けられていることを特徴とする請求項１に記載の巻取装置。
【請求項３】
前記索体押さえのうち一対の前記突条間の部位は、前記一対のフランジ部の外径端より径方向外側に位置することを特徴とする請求項２に記載の巻取装置。
【請求項４】
前記索体を巻き取る向きに前記巻取部を回転させる弾性力を発揮する渦巻き状の第１ぜんまいばねと、
前記第１ぜんまいばねに重ねられ、前記第１ぜんまいばねの周長より短い周長にて構成された渦巻き状の第２ぜんまいばねと
を備えることを特徴とする請求項１ないし３のいずれか１項に記載の巻取装置。
【発明の詳細な説明】
【技術分野】
【０００１】
本発明は、可撓性を有する索体を巻き取る巻取装置に関する。
【背景技術】
【０００２】
例えば、特許文献１に記載の巻取装置では、巻取ドラムの巻取部に巻かれたロープを当該巻取部の回転中心に向けて押圧するローラを有している。
【先行技術文献】
【特許文献】
【０００３】
【特許文献１】特開昭５４−１４６３６６号公報
【発明の概要】
【発明が解決しようとする課題】
【０００４】
ロープ等の可撓性を有する索体が巻取部に巻かれていく際に、索体が回転軸線方向に整列した状態で巻かれず、特定の箇所に重なるように積層された状態で巻取部に巻かれると、索体が巻取ドラムから外れてしまう可能性がある。
【０００５】
なお、索体を整列状態で巻き取るための手段として「トラバーサ」が知られている。しかし、トラバーサを用いると、巻取装置の構造が複雑になる可能性がある。
本発明は、上記点に鑑み、索体の巻き取り時、索体が巻取ドラムから外れてしまうことを簡素な構造で抑制することを目的とする。
【課題を解決するための手段】
【０００６】
本願では、可撓性を有する索体（Ｃ）を巻き取る巻取装置において、回転することにより索体（Ｃ）を巻き取る巻取部（３Ａ）、及び巻取部（３Ａ）の回転軸線方向両端側に設けられ、当該巻取部（３Ａ）から径方向外側に突出した一対のフランジ部（３Ｂ、３Ｃ）を有する巻取ドラム（３）と、巻取部（３Ａ）の径方向外側を覆う円筒部（５Ａ）を有するドラムカバー（５）と、回転軸線方向に変位可能な状態で円筒部（５Ａ）に組み付けられた索体押さえ（７）であって、少なくとも回転軸線方向両端部（７Ａ、７Ｂ）が一対のフランジ部（３Ｂ、３Ｃ）の外径端（３Ｅ、３Ｆ）より巻取部（３Ａ）側に位置する索体押さえ（７）とを備える。
【０００７】
これにより、索体押さえ（７）により索体（Ｃ）が巻取ドラム（３）から外れてしまうことを抑制できる。
すなわち、索体押さえ（７）の回転軸線方向両端部（７Ａ、７Ｂ）が一対のフランジ部（３Ｂ、３Ｃ）の外径端（３Ｅ、３Ｆ）より巻取部（３Ａ）側に位置し、かつ、回転軸線方向に変位可能である。
【０００８】
このため、巻取ドラム（３）が回転する際に、巻取ドラム（３）又は一対のフランジ部（３Ｂ、３Ｃ）が回転軸線方向に変位した場合であっても、その変位に連動して索体押さえ（７）が変位する。
【０００９】
したがって、巻取ドラム（３）又は一対のフランジ部（３Ｂ、３Ｃ）が回転軸線方向に変位した場合であっても、索体押さえ（７）の回転軸線方向両端部（７Ａ、７Ｂ）と一対のフランジ部（３Ｂ、３Ｃ）との隙間を索体（Ｃ）の直径寸法未満に維持できるので、索体（Ｃ）が巻取ドラム（３）から外れてしまうことを確実に抑制できる。
【００１０】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１１】
【図１】本発明の実施形態に係る巻取装置１であって、図３のＡ−Ａ断面図である。
【図２】図１のＡ部拡大図である。
【図３】本発明の実施形態に係る巻取装置１の正面図である。
【図４】図３のＢ部拡大図である。
【図５】図３のＣ矢視図である。
【図６】図１のＢ−Ｂ断面図である。
【発明を実施するための形態】
【００１２】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１３】
以下、本発明の実施形態を図面と共に説明する。なお、各図に付された方向を示す矢印等は、各図相互の関係を理解し易くするために記載したものである。本発明は、各図に付された方向に限定されるものではない。
【００１４】
少なくとも符号を付して説明した部材又は部位は、「複数」や「２つ以上」等の断りをした場合を除き、少なくとも１つ設けられている。
（第１実施形態）
１．巻取装置の構成
本実施形態は、電気コードを巻き取るための巻取装置に本発明を適用したものである。つまり、本実施形態に係る電気コードは、可撓性を有する索体の一例である。本実施形形態に係る巻取装置１は、図１に示すように、少なくなくとも巻取ドラム３、ドラムカバー５及び索体押さえ７等を有する。
【００１５】
１．１  巻取ドラム
巻取ドラム３は、巻取部３Ａ及び一対のフランジ部３Ｂ、３Ｃを有する。巻取部３Ａは、索体Ｃを巻き取るための回転体であって、回転しながら当該索体Ｃを巻き取る。一対のフランジ部３Ｂ、３Ｃそれぞれは、図２に示すように、巻取部３Ａの回転軸線方向一端側及び他端側それぞれに設けられている。
【００１６】
各フランジ部３Ｂ、３Ｃは、巻取部３Ａから径方向外側に突出している。つまり、一対のフランジ部３Ｂ、３Ｃの外径寸法Ｄ１は、巻取部３Ａの直径寸法Ｄ２より大きい寸法である。
【００１７】
なお、本実施形態に係る一対のフランジ部３Ｂ、３Ｃは、円盤状に構成され、かつ、巻取部３Ａに一体化されている。回転軸線方向とは、図１に示す巻取ドラム３の回転軸線Ｌｏと平行な方向いう。
【００１８】
１．２  ドラムカバー
本実施形態に係るドラムカバー５は、図３に示すように、円筒部５Ａ、円板部５Ｂ及びフランジ部５Ｄ等を有している。円筒部５Ａは、図１に示すように、巻取部３Ａの径方向外側を覆う円筒状の部位である。
【００１９】
円筒部５Ａには、図３に示すように、索体Ｃが出入り可能な開口部５Ｅが設けられている。巻取ドラム３が巻き取の向き回転して索体Ｃが巻き取られた場合、及び巻取ドラム３が引き出しの向き回転して索体Ｃが引き出された場合には、索体Ｃは開口部５Ｅを通過して移動する。
【００２０】
円板部５Ｂは、図１に示すように、円筒部５Ａの軸線方向一端を閉塞する。当該円板部５Ｂは、円筒部５Ａに一体化されているとともに、巻取ドラム３の回転シャフト３Ｄを支持する軸受部５Ｃを有する。
【００２１】
なお、円筒部５Ａの軸線方向他端側には、図３に示すように、環状のフランジ部５Ｄが設けられている。ドラムカバー５は、図１に示すように、フランジ部５Ｄを介してベースプレート９に組み付けられている。
【００２２】
ベースプレート９は、円筒部５Ａの軸線方向他端側を閉塞するとともに、回転シャフト３Ｄを支持する軸受部９Ａを有している。なお、本実施形態では、ドラムカバー５は、ＳＰＣＣ等の金属製である。そして、円筒部５Ａ、円板部５Ｂ及びフランジ部５Ｄがプレス加工により一体成形されている。
【００２３】
１．３  索体押さえ
索体押さえ７は、索体Ｃが巻取ドラム３に巻き取られる際に、当該索体Ｃが巻取ドラム３から外れることを防止するための部材である。そして、索体押さえ７は、回転軸線方向に変位可能な状態で円筒部５Ａに組み付けられている。
【００２４】
すなわち、索体押さえ７は、図３に示すように、巻取部３Ａの回転中心Ｏ１を挟んで開口部５Ｅと反対側の位置に設けられている。当該位置には、図４に示すように、索体押さえ７を保持する保持板１１が設けられている。
【００２５】
保持板１１は、一対のレール部１１Ａ、Ｂを有するとともに、ねじ等の締結具により円筒部５Ａに固定されている（図５参照）。一対のレール部１１Ａ、Ｂは、索体押さえ７を変位可能に保持する。すなわち、レール部１１Ａは、円周方向一端側で索体押さえ７を保持し、レール部１１Ｂは円周方向他端側で索体押さえ７を保持する。
【００２６】
索体押さえ７は、保持板１１を介して円筒部５Ａに組み付けられた状態においては、図２に示すように、少なくとも回転軸線方向両端部７Ａ、７Ｂが一対のフランジ部３Ｂ、３Ｃの外径端３Ｅ、３Ｆより巻取部３Ａ側に位置する。
【００２７】
具体的には、索体押さえ７の回転軸線方向両端部７Ａ、７Ｂそれぞれには、突条７Ｃ、７Ｄが設けられている。突条７Ｃ、７Ｄは、当該両端部７Ａ、７Ｂから巻取部３Ａ側に突出し、かつ、巻取部３Ａの回転方向に沿って延びる壁状の部位である。
【００２８】
そして、一対の突条７Ｃ、７Ｄの先端は、フランジ部３Ｂ、３Ｃの外径端３Ｅ、３Ｆより巻取部３Ａ側に位置する。索体押さえ７のうち一対の突条７Ｃ、７Ｄ間の部位７Ｅは、一対のフランジ部３Ｂ、３Ｃの外径端３Ｅ、３Ｆより径方向外側に位置している。
【００２９】
なお、本実施形態に係る索体押さえ７及び保持板１１は、ＰＯＭ等の耐摩耗性に優れ、かつ、摩擦係数が小さい樹脂製である。
１．４  ぜんまいばね
ベースプレート９側には、図１に示すように、第１ぜんまいばね１３Ａ及び第２ぜんまいばね１３Ｂが配設されている。第１ぜんまいばね１３Ａ及び第２ぜんまいばね１３Ｂは、図６に示すように、帯板状の金属板等が渦巻き状に巻かれたばねである。
【００３０】
第１ぜんまいばね１３Ａは、索体Ｃを巻き取る向きに巻取部３Ａを回転させる弾性力を発揮する。具体的には、第１ぜんまいばね１３Ａの渦巻き中心側は、回転シャフト３Ｄに引っ掛かって係止されている。第１ぜんまいばね１３Ａの渦巻き外方側はベースプレート９に係止されている。
【００３１】
第２ぜんまいばね１３Ｂは、第１ぜんまいばね１３Ａの周長より短い周長にて構成された渦巻き状のばねであって、第１ぜんまいばね１３Ａに重ねられている。「周長」とは螺旋状の渦巻きに沿って計測した長さである。
【００３２】
「第２ぜんまいばね１３Ｂが第１ぜんまいばね１３Ａに重ねられている」とは、第２ぜんまいばね１３Ｂの渦巻き中心側及び渦巻き外方側が第１ぜんまいばね１３Ａ等に係止されておらず、第１ぜんまいばね１３Ａと第２ぜんまいばね１３Ｂとが互いに滑り接触可能に接触している状態をいう。
【００３３】
２．本実施形態に係る巻取装置の特徴
本実施形態では、円筒部５Ａに組み付けられた索体押さえ７は、回転軸線方向に変位可能であって、少なくとも回転軸線方向両端部７Ａ、７Ｂが一対のフランジ部３Ｂ、３Ｃの外径端３Ｅ、３Ｆより巻取部３Ａ側に位置している。
【００３４】
これにより、巻取ドラム３が回転する際に、巻取ドラム３又は一対のフランジ部３Ｂ、３Ｃが回転軸線方向に変位した場合であっても、その変位に連動して索体押さえ７が回転軸線方向に変位する。
【００３５】
したがって、巻取ドラム３又は一対のフランジ部３Ｂ、３Ｃが回転軸線方向に変位した場合であっても、索体押さえ７の回転軸線方向両端部７Ａ、７Ｂと一対のフランジ部３Ｂ、３Ｃとの隙間１５Ａ、１５Ｂ（図２参照）を索体Ｃの直径寸法未満に維持でき得る。このため、索体Ｃが巻取ドラム３から外れてしまうことを確実に抑制できるので、索体押さえ７により索体Ｃが巻取ドラム３から外れてしまうことを抑制できる。
【００３６】
なお、仮に索体押さえ７が転軸線方向に変位不可能な構成においては、巻取ドラム３の寸法公差を厳しくするとともに、ドラムカバー５、巻取ドラム３及びベースプレート９の寸法バラツキ、及びこれらの組み付け寸法バラツキを厳格に管理する必要がある。
【００３７】
つまり、寸法バラツキが大きいと、巻取ドラム３等が回転軸線方向に変位した場合に、（ａ）隙間１５Ａ、１５Ｂが索体Ｃの直径寸法より大きくなってしまう、又は（ｂ）索体押さえ７と一対のフランジ部３Ｂ、３Ｃとが干渉してしまい、巻取ドラム３の回転を阻害する、等の不具合が発生する可能性が高い。
【００３８】
このため、索体押さえ７が転軸線方向に変位不可能な場合には、巻取装置１の製造原価が大きく上昇するおそれが高い。これに対して、本実施形態では、索体押さえ７が転軸線方向に変位可能であるので、巻取装置１の製造原価上昇を抑制しながら索体Ｃが巻取ドラム３から外れてしまうことを抑制できる。
【００３９】
そして、索体押さえ７が巻取部３Ａの回転中心Ｏ１を挟んで開口部５Ｅと反対側の位置に設けられていると、索体押さえ７を１つとすることが可能となる。
また、本実施形態では、第１ぜんまいばね１３Ａの渦巻き中心に、第１ぜんまいばね１３Ａより少ない巻数に構成された渦巻き状の第２ぜんまいばね１３Ｂが配設されている。
【００４０】
これにより、第１ぜんまいばね１３Ａに発生する最大応力を緩和できるので、第１ぜんまいばね１３Ａの耐久性を向上させることが可能となる。なお、本実施形態では、第２ぜんまいばね１３Ｂが第１ぜんまいばね１３Ａより渦巻き中心側（内側）に配設されているので、効果的に最大応力を緩和でき得る。
【００４１】
（その他の実施形態）
上述の実施形態に係る一対のフランジ部３Ｂ、３Ｃは、円盤状に構成され、かつ、巻取部３Ａに一体化されていた。しかし、本発明はこれに限定されるものではなく、例えば、所定間隔毎に径方向外側に突出した突起板にて一対のフランジ部３Ｂ、３Ｃを構成してもよい。
【００４２】
上述の実施形態に係るドラムカバー５は、円板部５Ｂを有していた。しかし、本発明はこれに限定されるものではなく、例えば、円板部５Ｂを廃止した構成、又は穴が設けられた円板部５Ｂを用いた構成であってもよい。
【００４３】
上述の実施形態では、第２ぜんまいばね１３Ｂを有していた。しかし、本発明はこれに限定されるものではなく、第２ぜんまいばね１３Ｂを廃止してもよい。
上述の実施形態では、実施形態では、第２ぜんまいばね１３Ｂが第１ぜんまいばね１３Ａより渦巻き中心側（内側）に配設されていた。しかし、本発明はこれに限定されるものではなく、第２ぜんまいばね１３Ｂが第１ぜんまいばね１３Ａより外側に配設されていてもよい。
【００４４】
上述の実施形態では、１つの索体押さえ７が巻取部３Ａの回転中心Ｏ１を挟んで開口部５Ｅと反対側の位置に設けられていた。しかし、本発明はこれに限定されるものではなく、例えば、複数の索体押さえ７を設ける、又は巻取部３Ａの回転中心Ｏ１を挟んで開口部５Ｅと反対側の位置以外の位置に索体押さえ７を設けてもよい。
【００４５】
また、本発明は、特許請求の範囲に記載された発明の趣旨に合致するものであればよく、上述の実施形態に限定されるものではない。
【符号の説明】
【００４６】
１… 巻取装置  ３… 巻取ドラム  ３Ａ… 巻取部  ３Ｂ… フランジ部
３Ｄ… 回転シャフト  ５… ドラムカバー  ５Ａ… 円筒部
５Ｂ… 円板部  ５Ｅ… 開口部  ５Ｃ… 軸受部
５Ｄ… フランジ部  ７Ｃ… 突条  ９… ベースプレート
【図１】
0006725308.tif 000002
【図２】
0006725308.tif 000003
【図３】
0006725308.tif 000004
【図４】
0006725308.tif 000005
【図５】
0006725308.tif 000006
【図６】
0006725308.tif 000007